(57)【要約】【課題】不使用時には遊技の邪魔にならないように灰皿本体を反転できる灰皿取付装置を提供する。【解決手段】灰皿本体４１を使用しないときには、使用可能状態にある灰皿本体４１を手前に移動させ、両突起４９を第１水平溝５１１の終端まで摺動させて両突起４９中心にしてほぼ１８０゜回転し、両突起４９を垂直溝５１５から第２水平溝５１３の始端まで摺動させ、灰皿本体４１を後方に移動させてその後端を凹部に押し込む。これにより、反転状態での灰皿本体４１の後側端が凹部に入り込んで灰皿本体４１の回転が阻止される。【選択図】        図２
2004344359.tif 000002
【特許請求の範囲】
【請求項１】
遊技機筐体の前面を開閉自在に閉塞するパネルに設けられ、灰皿を前記パネルに取り付ける遊技機の灰皿取付装置において、
上面が開口した灰皿本体と、
前記パネルの下部に設けられ前記灰皿本体が配設される収容部と、
前記灰皿本体または前記収容部の一方における左右の両側面に形成された突起と、
前記灰皿本体または前記収容部の他方における左右の両側面に形成され前記両突起がそれぞれ嵌挿して前記灰皿本体を前記収容部に対して回転自在かつ前後方向に移動自在にガイドする一対のガイド溝と、
前記パネルの前記収容部の奥に形成され前記灰皿本体の後端が押し込まれて前記灰皿本体の回転を阻止する凹部とを備えていることを特徴とする遊技機の灰皿取付装置。
【請求項２】
前記両ガイド溝が、
前記灰皿本体または前記収容部の他方における左右の両側面の前寄りであって前記灰皿本体の開口側の上面から所定距離の位置に後方に向かって形成された前後方向の第１水平溝と、
前記灰皿本体または前記収容部の他方における左右の両側面であって前記灰皿本体の底面から前記所定距離の位置に前記第１水平溝の後端下方から後方に向かって形成された前後方向の第２水平溝と、
前記第１水平溝の後端と前記第２水平溝の前端とを連通する垂直溝とを備えていることを特徴とする請求項１に記載の遊技機の灰皿取付装置。
【請求項３】
前記第１水平溝が、前記第２水平溝よりも短く設定されていることを特徴とする請求項２に記載の遊技機の灰皿取付装置。
【請求項４】
前記第２水平溝の後端が斜め下方に屈曲していることを特徴とする請求項２または３に記載の遊技機の灰皿取付装置。
【請求項５】
遊技機筐体の前面を開閉自在に閉塞するパネルに設けられ、灰皿を前記パネルに取り付ける遊技機の灰皿取付装置において、
上面が開口した灰皿本体と、
前記パネルの下部に設けられ前記灰皿本体が配設される収容部と、
前記灰皿本体または前記収容部の一方における左右の両側面に形成された突起と、
前記灰皿本体または前記収容部の他方における左右の両側面に形成され前記両突起がそれぞれ嵌挿して前記灰皿本体を前記収容部に対して回転自在かつ前後方向に移動自在にガイドする一対のガイド溝とを備え、
前記両ガイド溝が、
前記灰皿本体または前記収容部の他方における左右の両側面の前寄りであって前記灰皿本体の開口から所定距離の位置に後方に向かって形成された前後方向の第１水平溝と、前記灰皿本体または前記収容部の他方における左右の両側面であって前記灰皿本体の底面から前記所定距離の位置に前記第１水平溝の後端下方から後方に向かって形成された前後方向の第２水平溝と、前記第１水平溝の後端と前記第２水平溝の前端とを連通する垂直溝とを備え、
前記第２水平溝の後端が下向きに屈曲していることを特徴とする遊技機の灰皿取付装置。
【請求項６】
前記灰皿本体の裏面側に磁性材から成る磁気吸着部が形成されていることを特徴とする請求項１ないし５のいずれかに記載の遊技機の灰皿取付装置。
【発明の詳細な説明】
【０００１】
【発明の属する技術分野】
この発明は、遊技機筐体の前面を開閉自在に閉塞するパネルに設けられ、灰皿をパネルに取り付ける遊技機の灰皿取付装置に関する。
【０００２】
【従来の技術】
一般に、スロットマシンやパチンコ機等の遊技機では、前面が開口した箱状の筐体に、その前面全体を覆う大きさの前面パネルの一側がヒンジにより回転自在に支持され、この前面パネルにより筐体の前面が閉塞され、シリンダ錠を備えたロック機能を有する開閉装置により開閉可能にロックされるようになっている。
【０００３】
このような前面パネルの下部には、通常メダル受けの左側に隣接して灰皿が設けられており、遊技者が喫煙しながら遊技できるようになっており、従来は清掃を容易に行えるように回転可能に灰皿が前面パネルに取り付けられている。ところが、近年禁煙者の増大に伴い、禁煙者に配慮して、遊技機に設けられている灰皿にブラインド板等を貼るなどして灰皿を使用できないようにし、喫煙コーナーと称される特定場所に設置された灰皿のみ使用できるようにしているパチンコホールが増えつつある。
【０００４】
しかしながら、このように灰皿を塞ぐためのブラインド板等をホール側で別途準備しなければならず、ホール管理者に多くの負担と手間を強いることになり好ましくない。
【０００５】
一方、最近では、灰皿の上部開口を上方から覆う頂壁を有するホルダーを設け、不使用時には灰皿をホルダー内に押し込んで使用できない状態にしておき、使用時には灰皿をホルダーから所定量だけ引き出して灰皿を部分的に露出させ、清掃時には灰皿を使用位置から前端部を下方に揺動させるようにしたものがある（例えば、特許文献１参照）。
【０００６】
【特許文献１】
特開２００２−２５２号公報（第４頁、図３−５）
【０００７】
【発明が解決しようとする課題】
しかし、従来の灰皿では、ホルダーとして灰皿の上部開口を上方から覆う頂壁を有するものが必要になるため、構成が複雑化するという問題点があった。更に、灰皿を引き出せば、簡単に灰皿を使用できる状態になるため、灰皿を完全に使用できない状態にするには、ホルダー前面をやはり閉塞せざるを得ず、そのための閉塞部材を別途する必要が生じる。ところが、一旦ホルダー前面を閉塞部材により閉塞してしまうと、その閉塞部材を除去するのに過剰な手間がかかるという新たな問題点が生じる。
【０００８】
また、従来の灰皿の場合、パネルから突出しないようにパネル内側に奥まった位置にホルダーを設けているため、パネルにホルダーの配置スペースを確保しなければならないという問題点があった。
【０００９】
一方、このようなパネルの内側におけるホルダー用スペースを不要にし、パネルから前方に突出してメダル受け及び灰皿を配設するタイプの遊技機の場合にはホルダーが大型化し、かえってホルダーが遊技の邪魔になる恐れがある。
【００１０】
そこで、本発明は、簡単な構成により、不使用時には遊技の邪魔にならないように灰皿本体を反転できる灰皿取付装置を提供することを目的とする。
【００１１】
【課題を解決するための手段】
上記した目的を達成するために、本発明は、遊技機筐体の前面を開閉自在に閉塞するパネルに設けられ、灰皿を前記パネルに取り付ける遊技機の灰皿取付装置において、上面が開口した灰皿本体と、前記パネルの下部に設けられ前記灰皿本体が配設される収容部と、前記灰皿本体または前記収容部の一方における左右の両側面に形成された突起と、前記灰皿本体または前記収容部の他方における左右の両側面に形成され前記両突起がそれぞれ嵌挿して前記灰皿本体を前記収容部に対して回転自在かつ前後方向に移動自在にガイドする一対のガイド溝と、前記パネルの前記収容部の奥に形成され前記灰皿本体の後端が押し込まれて前記灰皿本体の回転を阻止する凹部とを備えていることを特徴としている（請求項１）。
【００１２】
このような構成によれば、突起及びガイド溝の組み合わせにより灰皿本体を回転自在かつ前後に移動自在に支持するようにしたため、灰皿本体を使用しないときには、例えば灰皿本体を反転して天地逆転した状態で凹部に押し込むことで、灰皿本体を遊技の邪魔にならない状態に反転させておくことができ、従来のように閉塞部材等を用いることなく灰皿本体を使用不能状態に保持することができる。
【００１３】
一方、灰皿本体を使用可能状態に戻すには、反転状態の灰皿本体を手前に引いてから元の状態に反転させればよく、従来のように閉塞部材等を除去する必要もなく、簡単に灰皿本体を使用可能状態に戻すことができる。
【００１４】
このとき、凹部への灰皿本体の押し込みにより灰皿本体の回転を阻止するようにしたため、使用可能状態及び使用不能状態のいずれにおいても、遊技者が遊技中に誤って灰皿本体に接触しても、灰皿本体が容易に回転するのを阻止して遊技の邪魔を防止することができる。
【００１５】
また、本発明は、前記両ガイド溝が、前記灰皿本体または前記収容部の他方における左右の両側面の前寄りであって前記灰皿本体の開口側の上面から所定距離の位置に後方に向かって形成された前後方向の第１水平溝と、前記灰皿本体または前記収容部の他方における左右の両側面であって前記灰皿本体の底面から前記所定距離の位置に前記第１水平溝の後端下方から後方に向かって形成された前後方向の第２水平溝と、前記第１水平溝の後端と前記第２水平溝の前端とを連通する垂直溝とを備えていることを特徴としている（請求項２）。
【００１６】
このような構成によれば、灰皿本体を反転する際、突起が第１の水平溝から垂直溝を経て第２水平溝内を移動するため、灰皿本体を簡単に反転して元の収容部内に収容することができる。一方、反転状態の灰皿本体を元に戻すには、反転時と逆に、突起が第２の水平溝から垂直溝を経て第１水平溝内を移動するため、反転状態の灰皿本体を簡単に元に戻して収容部内に収容することができる。
【００１７】
このとき、第１水平溝の開口側の上面からの距離と、第２水平溝の灰皿本体の底面からの距離が同じに設定されているため、反転後の灰皿本体の底面が収容部から上方に突出するのを防止することができる。
【００１８】
また、本発明は、前記第１水平溝が、前記第２水平溝よりも短く設定されていることを特徴としている（請求項３）。このような構成によれば、灰皿本体内の吸い殻を排出する際に、灰皿本体を第１水平溝の長さ程度手前に引き出すことで、灰皿本体を容易に回転でき、吸い殻を簡単に排出することができる。
【００１９】
また、本発明は、前記第２水平溝の後端が斜め下方に屈曲していることを特徴としている（請求項４）。このような構成によれば、灰皿本体を反転した後、灰皿本体を押し込むときに第２水平溝の屈曲部分に沿って突起が移動し、これにより灰皿本体が収容部に対して相対的に少し斜め下方に移動しつつ灰皿本体の後端が凹部に押し込まれるため、遊技者が遊技中に誤って灰皿本体に接触しても、灰皿本体が容易に回転するのをより確実に阻止することができる。
【００２０】
また、本発明は、遊技機筐体の前面を開閉自在に閉塞するパネルに設けられ、灰皿を前記パネルに取り付ける遊技機の灰皿取付装置において、上面が開口した灰皿本体と、前記パネルの下部に設けられ前記灰皿本体が配設される収容部と、前記灰皿本体または前記収容部の一方における左右の両側面に形成された突起と、前記灰皿本体または前記収容部の他方における左右の両側面に形成され前記両突起がそれぞれ嵌挿して前記灰皿本体を前記収容部に対して回転自在かつ前後方向に移動自在にガイドする一対のガイド溝とを備え、前記両ガイド溝が、前記灰皿本体または前記収容部の他方における左右の両側面の前寄りであって前記灰皿本体の開口から所定距離の位置に後方に向かって形成された前後方向の第１水平溝と、前記灰皿本体または前記収容部の他方における左右の両側面であって前記灰皿本体の底面から前記所定距離の位置に前記第１水平溝の後端下方から後方に向かって形成された前後方向の第２水平溝と、前記第１水平溝の後端と前記第２水平溝の前端とを連通する垂直溝とを備え、前記第２水平溝の後端が下向きに屈曲していることを特徴としている（請求項５）。
【００２１】
このような構成によれば、パネルの収容部の奥に凹部を形成するスペースがないときに、灰皿本体を反転した後、灰皿本体を押し込むときに第２水平溝を移動してその屈曲部分に突起が嵌挿するため、これにより灰皿本体に外力が加わっても灰皿本体の回転を防止することができ、パネルに凹部を形成することなく簡単に灰皿本体の回転を阻止することができる。
【００２２】
また、本発明は、前記灰皿本体の裏面側に磁性材から成る磁気吸着部が形成されていることを特徴としている（請求項６）。このような構成によれば、例えば遊技機を設置するホール全体で灰皿本体を使用不能状態にしておき、喫煙を希望する遊技者だけに、底面にマグネットの付いた簡易灰皿を使用させるような場合に、灰皿本体の磁気吸着部に簡易灰皿のマグネットを吸着させることで、簡易灰皿を簡単にかつ強固に取り付けて使用することができる。
【００２３】
【発明の実施の形態】
この発明を遊技機であるスロットマシンに適用した場合における一実施形態について図１ないし図１４を参照して説明する。但し、図１はスロットマシンの正面図、図２ないし図６は灰皿本体の斜視図、平面図、正面図、右側面図及び底面図、図７ないし図１３は灰皿本体の使用不能状態への反転動作を説明するための右側面図、図１４は収容部付近の切断右側面図である。
【００２４】
本実施形態におけるスロットマシンは、例えば図１に示すように構成されている。即ち、図１に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。このとき、前面パネル５の左端部がヒンジにより筐体３に回転自在に支持されて、筐体３の前面全体が前面パネル５により覆われて閉塞される。
【００２５】
そして、図１に示すように、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２６】
更に、図１に示すように、操作板７には、クレジットされているメダルの枚数を減じてメダル投入に代えるためのベットスイッチ１５、各リールの回転を開始させるためのスタートレバー１７、第１ないし第３ストップスイッチ１９，２１，２３、及び、メダル投入口２５や貯留メダルを払い出すための精算スイッチ２７が設けられている。
【００２７】
また、図１に示すように、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７や、この払出口３７から払い出されるメダルを受けるメダル受け３９が設けられている。
【００２８】
ところで、メダル受け３９の左方に隣接して灰皿本体４１が配設されており、この灰皿本体４１は、特に図２以下に示されるような灰皿取付装置により前面パネル５に取り付けられている。
【００２９】
即ち、この灰皿取付装置は、前面パネル５の下部でメダル受け３９の左側に設けられた収容部４３（図１４参照）に灰皿本体４１が回転自在かつ前後方向に移動自在に収容されている。この収容部４３は、前面パネル５に一体形成されたメダル受け３９の左側の仕切壁４５と、これに対向する前面パネル５の左下端に一体形成された端部壁４７とにより形成され、上下及び前面が開口している。尚、灰皿本体４１は、その上面が開口し、全体的に収容部４３に収容可能な直方体状を成している。
【００３０】
そして、収容部４１を構成する仕切壁４５及び端部壁４７の相互に対向する面の前寄りの位置には円柱状の突起４９がそれぞれ形成される一方、灰皿本体４１の左右の外側面には、両突起４９がそれぞれ嵌挿して灰皿本体４１を収容部４３に対して回転自在かつ前後方向に移動自在にガイドする一対のガイド溝５１が形成されている。
【００３１】
更に、前面パネル５の収容部４３の奥には、特に図１４に示されるように灰皿本体４１の後端が押し込まれる凹部５３が形成されており、この凹部５３に灰皿本体４１の後端が押し込まれることで、灰皿本体４１の回転が阻止されるようになっている。
【００３２】
ところで、特に図５に示されるように、両ガイド溝５１はそれぞれ、灰皿本体４１の両外側面の前寄りであって灰皿本体４１の上面開口から所定の距離Ｄの位置に、後方に向かって形成された長さＬ１の前後方向の第１水平溝５１１と、灰皿本体４１の両外側面であって灰皿本体４１の底面から所定の距離Ｄの位置に第１水平溝５１１の後端下方から後方に向かって形成された長さＬ２の前後方向の第２水平溝５１３と、第１水平溝５１１の終端と第２水平溝５１３の始端とを連通する垂直溝５１５とから成る。ここで、第１水平溝５１１の長さＬ１は第２水平溝５１３の長さＬ２よりも短く設定されており（Ｌ１＜Ｌ２）、こうすることで、灰皿本体４１の灰を排出する際に、灰皿本体４１を第１水平溝５１１の長さＬ１分だけ前方に引き出せば、灰皿本体４１の後端が凹部５３から抜け出て突起４９を回転中心に灰皿本体４１が回転可能な状態になり、灰を簡単に排出することができる。
【００３３】
また、特に図６に示されるように、灰皿本体４１の裏面側に鉄板が埋設され、磁性材から成る磁気吸着部５５が形成されている。これにより、例えばスロットマシンを設置するホール全体で灰皿本体４１を使用不能状態にしておき、喫煙を希望する遊技者だけに、底面にマグネットの付いた簡易灰皿を使用させるような場合に、この磁気吸着部５５に簡易灰皿のマグネットを吸着させれば簡易灰皿を簡単にかつ強固に取り付けて使用することができるようになる。なお、５７は灰皿本体４１の内部に突出形成された煙草の火消し座、５９は灰皿本体４１の前壁上部に形成された喫煙途中の煙草を載置するための凹溝である。
【００３４】
次に、灰皿本体４１を使用可能状態から使用不能状態に反転する場合の動作について説明すると、図７に示すように、使用可能状態にある灰皿本体４１はその後端が凹部５３に押し込まれている。この押し込み状態を解除するために、まず灰皿本体４１を前方に引き出すと、図８に示すように、両突起４９それぞれが両ガイド溝５１の第１水平溝５１１を始端から終端へと摺動する。
【００３５】
そして、両突起４９それぞれが両ガイド溝５１の第１水平溝５１１の終端に達すると、両突起４９を回転中心にして灰皿本体４１をほぼ１８０゜回転することにより、図９〜１１に示すように、両突起４９それぞれが両ガイド溝５１の垂直溝５１５を摺動して灰皿本体４１が完全に反転し、図１２に示すように、両突起４９それぞれが両ガイド溝５１の第２水平溝５１３の始端に移動する。
【００３６】
続いて、この状態から反転した灰皿本体４１を更に後方に押すと、図１３に示すように、両突起４９それぞれが両ガイド溝５１の第２水平溝５１３を摺動してその終端に達し、この状態から更に灰皿本体４１を後方へ押し込むと、反転状態での灰皿本体４１の後側端が凹部５３に入り込むため、衝撃等によって反転状態の灰皿本体４１が簡単に回転することはない。
【００３７】
一方、このように反転されて使用不能状態にされた灰皿本体４１を使用可能状態に戻すときには、上記した反転時の動作とほぼ同様にすればよく、使用不能状態での灰皿本体４１の後側端が凹部５３に押し込まれている状態を解除するために、灰皿本体４１を前方に引き出すと、図１３，１２に示すように、両突起４９それぞれが両ガイド溝５１の第２水平溝５１３を摺動してその終端から始端へと移動する。
【００３８】
そして、両突起４９それぞれが両ガイド溝５１の第２水平溝５１３の始端に達すると、両突起４９を回転中心にして灰皿本体４１をほぼ１８０゜回転することにより、両突起４９それぞれが両ガイド溝５１の垂直溝５１５を摺動して灰皿本体４１が完全に反転し、図８に示すように、両突起４９それぞれが両ガイド溝５１の第１水平溝５１１の終端に移動する。
【００３９】
続いて、この状態から、反転した灰皿本体４１を更に後方に押すと、図７に示すように、両突起４９それぞれが両ガイド溝５１の第１水平溝５１１を摺動してその終端から始端へと移動し、この状態から更に灰皿本体４１を後方へ押し込むと、灰皿本体４１の後端が凹部５３に入り込む。
【００４０】
従って、上記した実施形態によれば、突起４９及びガイド溝５１の組み合わせにより灰皿本体４１を回転自在かつ前後に移動自在に支持するようにしたため、灰皿本体４１を使用しないときには、灰皿本体４１を反転して天地逆転した状態で凹部５３に押し込むことで、灰皿本体４１を遊技の邪魔にならない状態に反転させておくことができ、従来のように閉塞部材等を用いることなく簡単かつ安価な構成により灰皿本体４１を使用不能状態に保持することができる。
【００４１】
また、灰皿本体４１を使用可能状態に戻すには、反転状態の灰皿本体４１を手前に引いてから元の状態に反転させればよく、従来のように閉塞部材等を除去する必要もなく、簡単に灰皿本体４１を使用可能状態に戻すことができる。
【００４２】
更に、ガイド溝５１の第１水平溝５１１の開口側である上面からの距離Ｄと、第２水平溝５１３の灰皿本体４１底面からの距離Ｄが同じに設定されているため、反転後の灰皿本体４１の底面が収容部５３から上方に突出するのを防止することができる。
【００４３】
また、使用可能状態及び使用不能状態のいずれにおいても凹部５３に灰皿本体４１の後端を押し込む構造であるため、衝撃等により灰皿本体４１が回転するのを防止することができる。
【００４４】
また、使用可能状態、使用不能状態のいずれであっても、灰皿本体４１が収容部４３よりも上方に突出することがなく、灰皿本体４１とメダル受け３９とが同一面を形成するため、使用可能状態及び使用不能状態において灰皿本体４１が遊技の邪魔になることを防止でき、遊技者に快く遊技を楽しんでもらうことができる。
【００４５】
更に、ガイド溝５１の第１水平溝５１１が第２水平溝５１３よりも短く設定されているため、灰皿本体４１内の吸い殻を排出する際に、灰皿本体４１を第１水平溝５１１の長さＬ１程度手前に引き出すことで、灰皿本体４１を容易に回転することができ、吸い殻の排出を簡単に行うことができる。
【００４６】
なお、本発明は上記した実施形態に限定されるものではなく、その趣旨を逸脱しない限りにおいて上述したもの以外に種々の変更を行うことが可能である。
【００４７】
例えば、上記した実施形態では、ガイド溝５１の第２水平溝５１３の終端は屈曲されていないが、第２水平溝５１３の終端を例えば斜め下方に屈曲し（図１５参照）、この屈曲した第２水平溝５１３の終端を突起４９が摺動することで灰皿本体４１の後端が凹部５３に押し込まれるようにしても構わない。
【００４８】
更に、上記した実施形態では、灰皿本体４１の後端を押し込むための凹部５３を収容部４３奥の前面パネル５に形成した場合について説明したが、このような凹部５３を形成するスペースがない場合には、灰皿本体４１を使用可能状態にして、ガイド溝５１の第２水平溝５１３の終端を下向きに屈曲（図１６参照）、或いは斜め下向きに屈曲させるだけでもよく、こうすれば突起４９を屈曲した第２水平溝５１３の終端に嵌挿させることにより、灰皿本体４１に外力が加わっても灰皿本体４１の回転を防止することができ、前面パネル５に凹部を形成することなく簡単に灰皿本体５１の回転を阻止することができる。
【００４９】
また、上記した実施形態では、ガイド溝５１を灰皿本体４１側に、突起４９を収容部４３側に形成した場合について説明したが、ガイド溝５１を収容部４３側に、突起４９を灰皿本体４１側に形成してもよいのは言うまでもない。
【００５０】
更に、上記した実施形態では、ガイド溝５１が第１水平溝５１１と第２水平溝５１３とを連結する垂直溝５１５を備えている例を示しているが、特に第１水平溝５１１と第２水平溝５１３とを連結する溝は必ずしも垂直である必要はなく、斜めに傾斜した溝であってもよく、要するに灰皿本体４１を回転自在かつ前後に移動自在にガイドできるものであればよい。
【００５１】
また、上記した実施形態では本発明をスロットマシンに適用した例を説明したが、パチンコ機といった他の遊技機にも本発明を適用することができ、その場合にも上記した実施形態と同等の効果を得ることができる。
【００５２】
【発明の効果】
以上のように、請求項１に記載の発明によれば、突起及びガイド溝の組み合わせにより灰皿本体を回転自在かつ前後に移動自在に支持するようにしたため、灰皿本体を使用しないときには、例えば灰皿本体を反転して天地逆転した状態で凹部に押し込むことで、灰皿本体を遊技の邪魔にならない状態に反転させておくことができ、従来のように閉塞部材等を用いることなく灰皿本体を使用不能状態に保持することが可能になる。
【００５３】
更に、灰皿本体を使用可能状態に戻すには、反転状態の灰皿本体を手前に引いてから元の状態に反転させればよく、従来のように閉塞部材等を除去する必要もなく、簡単に灰皿本体を使用可能状態に戻すことが可能になる。
【００５４】
このとき、凹部への灰皿本体の押し込みにより灰皿本体の回転を阻止するようにしたため、使用可能状態及び使用不能状態のいずれにおいても、遊技者が遊技中に誤って灰皿本体に接触しても、灰皿本体が容易に回転するのを阻止して遊技の邪魔を防止することが可能になる。
【００５５】
また、請求項２に記載の発明によれば、灰皿本体を反転する際、突起が第１の水平溝から垂直溝を経て第２水平溝内を移動するため、灰皿本体を簡単に反転して元の収容部内に収容することが可能になり、反転状態の灰皿本体を元に戻す際には、反転時と逆に、突起が第２の水平溝から垂直溝を経て第１水平溝内を移動するため、反転状態の灰皿本体を簡単に元に戻して収容部内に収容することが可能になる。
【００５６】
更にこのとき、第１水平溝の開口側の上面からの距離と、第２水平溝の灰皿本体の底面からの距離が同じに設定されているため、反転後の灰皿本体の底面が収容部から上方に突出するのを防止することが可能になる。
【００５７】
また、請求項３に記載の発明によれば、灰皿本体内の吸い殻を排出する際に、灰皿本体を第１水平溝の長さ程度手前に引き出すことで、灰皿本体を容易に回転でき、吸い殻を簡単に排出することが可能になる。
【００５８】
また、請求項４に記載の発明によれば、灰皿本体を反転した後、灰皿本体を押し込むときに第２水平溝の屈曲部分に沿って突起が移動し、これにより灰皿本体が収容部に対して相対的に少し斜め下方に移動しつつ灰皿本体の後端が凹部に押し込まれるため、遊技者が遊技中に誤って灰皿本体に接触しても、灰皿本体が容易に回転するのをより確実に阻止することが可能になる。
【００５９】
また、請求項５に記載の発明によれば、パネルの収容部の奥に凹部を形成するスペースがないときに、灰皿本体を反転した後、灰皿本体を押し込むときに第２水平溝を移動してその屈曲部分に突起が嵌挿するため、これにより灰皿本体に外力が加わっても灰皿本体の回転を防止することができ、パネルに凹部を形成することなく簡単に灰皿本体の回転を阻止することが可能になる。
【００６０】
また、請求項６に記載の発明によれば、例えば遊技機を設置するホール全体で灰皿本体を使用不能状態にしておき、喫煙を希望する遊技者だけに、底面にマグネットの付いた簡易灰皿を使用させるような場合に、灰皿本体の磁気吸着部に簡易灰皿のマグネットを吸着させることで、簡易灰皿を簡単にかつ強固に取り付けて使用することが可能になる。
【図面の簡単な説明】
【図１】この発明の一実施形態におけるスロットマシンの正面図である。
【図２】この発明の一実施形態における灰皿取付装置の斜視図である。
【図３】この発明の一実施形態における灰皿本体の平面図である。
【図４】この発明の一実施形態における灰皿本体の正面図である。
【図５】この発明の一実施形態における灰皿本体の右側面図である。
【図６】この発明の一実施形態における灰皿本体の底面図である。
【図７】この発明の一実施形態における灰皿本体の反転動作説明用の右側面図である。
【図８】この発明の一実施形態における灰皿本体の反転動作説明用の右側面図である。
【図９】この発明の一実施形態における灰皿本体の反転動作説明用の右側面図である。
【図１０】この発明の一実施形態における灰皿本体の反転動作説明用の右側面図である。
【図１１】この発明の一実施形態における灰皿本体の反転動作説明用の右側面図である。
【図１２】この発明の一実施形態における灰皿本体の反転動作説明用の右側面図である。
【図１３】この発明の一実施形態における灰皿本体の反転動作説明用の右側面図である。
【図１４】この発明の一実施形態における収容部付近の切断正面図である。
【図１５】この発明の他の実施形態における灰皿本体の右側面図である。
【図１６】この発明の更に他の実施形態における灰皿本体の右側面図である。
【符号の説明】
１      スロットマシン（遊技機）
３      筐体
５      前面パネル
３９    メダル受け
４１    灰皿本体
４３    収容部
４９    突起
５１    ガイド溝
５３    凹部
５５    磁気吸着部
５１１  第１水平溝
５１３  第２水平溝
５１５  垂直溝
【図１】
2004344359.tif 000003
【図２】
2004344359.tif 000004
【図３】
2004344359.tif 000005
【図４】
2004344359.tif 000006
【図５】
2004344359.tif 000007
【図６】
2004344359.tif 000008
【図７】
2004344359.tif 000009
【図８】
2004344359.tif 000010
【図９】
2004344359.tif 000011
【図１０】
2004344359.tif 000012
【図１１】
2004344359.tif 000013
【図１２】
2004344359.tif 000014
【図１３】
2004344359.tif 000015
【図１４】
2004344359.tif 000016
【図１５】
2004344359.tif 000017
【図１６】
2004344359.tif 000018